(57)【要約】【課題】図柄遊技の映像が見辛くなる弊害および遊技領域が狭められる弊害の双方を抑えつつ装飾図柄の映像を明るく表示すること。【解決手段】バックライト２００は導光板２０１および左ＬＥＤ２１１を有するものであり、導光板２０１は液晶パネル１７０を全体的に照明することで液晶パネル１７０に図柄遊技の映像を表示し、左ＬＥＤ２１１は液晶パネル１７０を局部的に照明することで液晶パネル１７０に装飾図柄の映像を表示する。この構成の場合、図柄遊技の映像の前方に左ＬＥＤ２１１が重なることがなくなる上に遊技盤の遊技領域内に障害釘を左ＬＥＤ２１１に邪魔されることなく自由に固定することが可能になる。しかも、左ＬＥＤ２１１の輝度および導光板２０１の輝度を個別に調整することが可能になるので、図柄遊技の映像が見辛くなる弊害および遊技領域が狭められる弊害の双方を抑えつつ装飾図柄の映像を明るく表示することができる。【選択図】図４
2007209662.tif 000002
【特許請求の範囲】
【請求項１】
遊技球が転動可能な遊技領域を有する透光性の遊技盤と、
前記遊技盤の遊技領域内に設けられ、遊技球が入賞可能な開放状態および遊技球が入賞不能な閉鎖状態に相互に切換わることが可能な入賞口装置と、
前記遊技盤の後方に設けられ、前記入賞口装置を開放状態にする大当りおよび前記入賞口装置を開放状態にしない外れを遊技者に報知する図柄遊技の映像が前記遊技盤を通して視覚的に認識可能に表示される図柄表示器とを備え、
前記図柄表示器は、
２枚の透光板相互間に液晶層を封入してなる液晶パネルと、
前記液晶パネルの前方に設けられた前偏光板と、
前記液晶パネルの後方に設けられた後偏光板と、
前記後偏光板を通して前記液晶パネルを照明するものであって、前記液晶パネルを全体的に照明することで前記液晶パネルに前記図柄遊技の映像を表示する面状光源および前記液晶パネルを局部的に照明することで前記液晶パネルに前記図柄遊技の映像を装飾する装飾図柄の映像を表示する点状光源を有するバックライトとを備えていることを特徴とするパチンコ遊技機。
【発明の詳細な説明】
【技術分野】
【０００１】
本発明は、透光性の遊技盤を備えたパチンコ遊技機に関する。
【背景技術】
【０００２】
上記パチンコ遊技機には遊技盤の後方に図柄表示器を配置した構成のものがある。この図柄表示器は入賞口装置を開放状態にする大当りおよび入賞口装置を開放状態にしない外れを遊技者に報知する図柄遊技の映像が表示される液晶パネルを有するものであり、液晶パネルは前方から遊技盤を通して視覚的に認識可能にされている。この構成の場合、遊技盤のうち液晶パネルの前方の領域内に障害釘を固定することができるので、遊技球が転動可能な遊技領域を狭めることなく液晶パネルを大形化することができる。
【特許文献１】特開２００５−１５２５７９号公報
【発明の開示】
【発明が解決しようとする課題】
【０００３】
上記パチンコ遊技機の場合、図柄遊技の映像が表示されているときにＬＥＤ等の点状光源を発光させることで図柄遊技の映像を装飾する装飾図柄の映像を表示することが考えられている。この点状光源を遊技盤の前面に固定したときには点状光源が液晶パネルの前方に重なるので、図柄遊技の映像が見辛くなる弊害が生じる。しかも、点状光源の周辺領域内には障害釘を固定することができないので、遊技領域が狭められる弊害も生じる。また、液晶パネルそのものに点状光源を模した装飾図柄の映像を表示したときには装飾図柄の映像を明るく表示するために液晶パネルのバックライトとして高輝度な面状光源が必要になるので、図柄遊技の映像の輝度が装飾図柄の映像の輝度に連動して高まり、図柄遊技の映像のうち特に大当りおよび外れを遊技者に直接的に報知する識別図柄が眩しさで見辛くなる弊害が生じる。
【０００４】
本発明は上記事情に鑑みてなされたものであり、その目的は、図柄遊技の映像が見辛くなる弊害および遊技領域が狭められる弊害の双方を抑えつつ装飾図柄の映像を明るく表示することができるパチンコ遊技機を提供することにある。
【課題を解決するための手段】
【０００５】
請求項１記載のパチンコ遊技機は［１］遊技盤〜［３］図柄表示器を備えたものであり、［３］図柄表示器を［３−１］液晶パネル〜［３−４］バックライトを含んで構成したところに特徴を有している。
［１］遊技盤は光を透過することが可能な透光性を有するものであり、図２の符号３０は遊技盤の一例である。この遊技盤は遊技球が転動可能な遊技領域を有するものであり、図２の符号３７は遊技領域の一例である。
［２］入賞口装置は遊技盤に設けられたものであり、遊技球が入賞可能な開放状態および遊技球が入賞不能な閉鎖状態に相互に切換わることが可能なものである。図２の特別電動入賞装置４２は入賞口装置の一例である。
［３］図柄表示器は遊技盤の後方に設けられたものであり、入賞口装置を開放状態にする大当りおよび入賞口装置を開放状態にしない外れを遊技者に報知する図柄遊技の映像が遊技盤を通して視覚的に認識可能に表示されるものである。図３の符号１４０は図柄表示器の一例であり、図７は図柄遊技の映像の一例を示している。
［３−１］図柄表示器は液晶表示装置から構成されたものであり、液晶パネルを備えている。この液晶パネルは２枚の透光板相互間に液晶層を封入したものであり、図５の符号１７０は液晶パネルの一例である。この図５の液晶パネル１７０は前ガラス基板１７１および後ガラス基板１７２相互間に液晶層１７３を封入したものであり、前ガラス基板１７１および後ガラス基板１７２はいずれも透光板に相当する。
［３−２］図柄表示器は前偏光板を備えている。この前偏光板は液晶パネルの前方に設けられたものであり、図４の符号１６０は前偏光板の一例である。
［３−３］図柄表示器は後偏光板を備えている。この後偏光板は液晶パネルの後方に設けられたものであり、図４の符号１９０は後偏光板の一例である。
［３−４］図柄表示器はバックライトを備えている。このバックライトは後偏光板を通して液晶パネルを照明するものであり、面状光源および点状光源を備えている。面状光源は液晶パネルを全体的に照明することで液晶パネルに図柄遊技の映像を表示するものであり、図４の導光板２０１は面状光源の一例である。点状光源は液晶パネルを局部的に照明することで液晶パネルに図柄遊技の映像を装飾する装飾図柄の映像を表示するものであり、図４の左ＬＥＤ２１１および図４の右ＬＥＤ２１２はいずれも点状光源の一例である。この請求項１記載のパチンコ遊技機によれば、点状光源を液晶パネルの後方に配置しているので、図柄遊技の映像の前方に点状光源が重なることがなくなる上に遊技盤の遊技領域内に障害釘を点状光源に邪魔されることなく自由に固定することが可能になる。しかも、点状光源の輝度および面状光源の輝度を個別に調整することが可能になる。このため、図柄遊技の映像の輝度を高めることなく装飾図柄の映像の輝度を高めることができるので、総じて図柄遊技の映像が見辛くなる弊害および遊技領域が狭められる弊害の双方を抑えつつ装飾図柄の映像を明るく表示することが可能になる。
【発明を実施するための最良の形態】
【０００６】
【実施例１】
【０００７】
図１の外枠１はパチンコホールの台島に設置されるものであり、前後面が開口する四角筒状をなしている。この外枠１には内枠２が左側部の垂直な軸３を中心に回動可能に装着されている。この内枠２は外枠１の前端面に接触する閉鎖状態および外枠１の前端面から前方へ離間する開放状態に相互に回動操作されるものであり、図１は内枠２を閉鎖状態で示している。この内枠２は、図２に示すように、前後面が開口する四角筒状をなすものであり、内枠２の下端部にはレール台４が形成され、内枠２の内部にはレール台４の上方に位置して遊技盤収納部５が形成されている。レール台４は発射レールが固定されるものであり、遊技盤収納部５は内枠２の内部空間のうちレール台４の残余部分を称する。この内枠２には４個の支え部６が形成されている。これら各支え部６は遊技盤収納部５内に突出する板状をなすものであり、上方の２個の支え部６のそれぞれにはＬ字状のストッパ７が前後方向へ延びる軸８を中心に回動可能に装着され、下方の２個の支え部６のそれぞれにはＬ字状のストッパ９が静止状態で固定されている。
【０００８】
内枠２には、図１に示すように、下端部に位置して横長な長方形状の下皿板１０が固定されており、下皿板１０には上面が開口する下皿１１が固定されている。この下皿板１０の上方には上皿板１２が配置されており、上皿板１２には上面が開口する上皿１３が固定されている。この上皿板１２は横長な長方形状をなすものであり、内枠２に左側部の垂直な軸を中心に回動可能に装着されている。この上皿板１２は内枠２の前端面に接触する閉鎖状態および内枠２の前端面から前方へ離間する開放状態に相互に回動操作されるものであり、図１は上皿板１２を閉鎖状態で示している。
【０００９】
下皿板１０の前面には右端部に位置してハンドル台１４が固定されており、ハンドル台１４には発射ハンドル１５が前後方向へ延びる軸を中心に回動可能に装着されている。この発射ハンドル１５の後方には発射モータが固定されており、発射ハンドル１５が回動操作されたときには発射モータに駆動電源が与えられ、発射モータの回転軸が一定方向へ一定速度で回転する。この発射モータの回転軸には、図２に示すように、発射装置１６が連結されている。この発射装置１６はレール台４に装着されたものであり、打球槌および駆動機構を有している。この駆動機構は発射モータの回転力を駆動源として打球槌を操作するものであり、打球槌は駆動機構によって操作されることに基づいて上皿１３内から供給される遊技球を叩き、遊技球をレール台４の発射レールに沿って発射する。
【００１０】
内枠２には、図１に示すように、窓枠１７が左側部の垂直な軸を中心に回動可能に装着されている。この窓枠１７は内枠２の前端面に接触する閉鎖状態および内枠２の前端面から前方へ離間する開放状態に相互に回動操作されるものであり、図１は窓枠１７を閉鎖状態で示している。この窓枠１７は円形孔状の窓部を有するものであり、窓部の内周面には透明な窓１８が固定されている。内枠２の遊技盤収納部５内には、図２に示すように、遊技盤ユニット２０が着脱可能に収納されている。この遊技盤ユニット２０は、図３に示すように、遊技盤３０と裏樋６０と液晶ステー８０と下意匠板１００と上意匠板１１０と裏樋カバー１２０と表示器ケース１３０と図柄表示器１４０と表示基板ボックス２３０を有するものであり、遊技盤３０〜表示基板ボックス２３０の詳細構成は次の通りである。
１．遊技盤３０の説明
遊技盤３０は透明な合成樹脂製の板から構成されたものであり、遊技盤３０の前面には、図２に示すように、外レール３１および内レール３２が固定されている。これら外レール３１と内レール３２との間には発射通路３３が形成されている。この発射通路３３は遊技盤３０の左端部に位置する円弧状の空間部を称するものであり、発射装置１６が発射した遊技球は発射レールから発射通路３３内に発射通路３３の入口３４から進入し、発射通路３３に沿って円弧状の軌跡を描きながら上昇した後に発射通路３３の出口３５から放出される。
【００１１】
遊技盤３０の前面には右上部に位置して合成樹脂製の球止め部材３６が固定されている。この球止め部材３６は外レール３１の右端部と内レール３２の右端部との間の隙間を埋めるものであり、球止め部材３６と外レール３１と内レール３２との間には遊技領域３７が形成されている。この遊技領域３７は外レール３１と内レール３２と球止め部材３６によって囲まれた領域のうち発射通路３３を除く円形状の部分を称するものであり、発射通路３３の出口３５から放出された遊技球が転動可能な最大範囲に相当する。この遊技領域３７内には複数の障害釘が固定されており、発射通路３３の出口３５から遊技領域３７内に放出された遊技球は障害釘に当りながら遊技領域３７内を転動する。
【００１２】
遊技盤３０の前面には飾りレール３８が固定されている。この飾りレール３８は遊技領域３７内に配置されたものであり、飾りレール３８と外レール３１との間には球通路３９が形成され、飾りレール３８と内レール３２との間には球通路４０が形成されている。これら球通路３９および球通路４０のそれぞれは発射通路３３の出口３５から遊技領域３７内に放出された遊技球が転動可能なものであり、上方の球通路３９は左方の球通路４０に比べて幅狭に設定されている。
【００１３】
遊技盤３０には転動領域３７内に位置して電動始動装置４１および特別電動入賞装置４２が固定されている。電動始動装置４１は上始動口４３および下始動口４４を上下２段に有するものであり、上始動口４３および下始動口４４のそれぞれは上面が開口するポケット状をなしている。これら上始動口４３内および下始動口４４内のそれぞれには始動口センサが装着されており、上始動口４３内の始動口センサは遊技球が上始動口４３内に入賞したことを検出して主制御回路に始動信号を出力し、下始動口４４内の始動口センサは遊技球が下始動口４４内に入賞したことを検出して主制御回路に始動信号を出力する。この主制御回路はマイクロコンピュータを主体に構成されたものであり、内枠２に固定されている。
【００１４】
下始動口４４には２枚の羽根板４５が装着されており、両羽根板４５は共通の始動口ソレノイドに連結されている。これら両羽根板４５は始動口ソレノイドが断電されることに基づいて垂直な縮小状態になるものであり、図４は両羽根板４５を縮小状態で示している。これら両羽根板４５の縮小状態では両羽根板４５相互間の隙間が上始動口４３によって上方から閉鎖され、遊技球が下始動口４４内に入賞することが不能になる。これら両羽根板４５は始動口ソレノイドが通電されることに基づいて水平な拡大状態に回動するものであり、両羽根板４５の拡大状態では下始動口４４の左右両側部を落下する遊技球が羽根板４５によって捕捉されることに基づいて下始動口４４内に入賞可能になる。
【００１５】
特別電動入賞装置４２は前面が開放する特別入賞口および扉４６を有するものであり、扉４６は特別入賞口ソレノイドに連結されている。この扉４６は特別入賞口ソレノイドの断電状態で垂直な閉鎖状態になることに基づいて特別入賞口の前面を遊技球が入賞不能に閉鎖するものであり、図２は扉４６を閉鎖状態で示している。この扉４６は特別入賞口ソレノイドの通電状態で前方へ水平に倒れた開放状態に回動するものであり、扉４６の開放状態では遊技球が扉４６に乗って特別入賞口内に転がり込むことが許容される。この特別入賞口内にはカウントセンサが装着されており、カウントセンサは遊技球が特別入賞口内に入賞したことを検出して主制御回路にカウント信号を出力する。この特別電動入賞装置４２は入賞口装置に相当するものである。
【００１６】
遊技盤３０には、図３に示すように、始動口取付孔４７および特別入賞口取付孔４８が形成されており、始動口取付孔４７内には電動始動装置４１の樋４９が挿入され、特別入賞口取付孔４８内には特別電動入賞装置４２の樋５０が挿入されている。樋４９は電動始動装置４１の上始動口４３および下始動口４４の双方に接続されたものであり、上始動口４３内に入賞した遊技球および下始動口４４内に入賞した遊技球はいずれも樋４９に沿って後方へ転がる。樋５０は特別電動入賞装置４２の特別入賞口に接続されたものであり、特別入賞口内に入賞した遊技球は樋５０に沿って後方へ転がる。遊技盤３０にはアウト孔５１が形成されている。このアウト孔５１は、図２に示すように、内レール３２の最低部に配置されたものであり、上始動口４３と下始動口４４と特別入賞口のいずれにも入賞しなかった遊技球は内レール３２に沿ってアウト孔５１内に転がり込む。
２．裏樋６０の説明
裏樋６０は、図３に示すように、下部裏樋６１と左部裏樋６２と右部裏樋６３と上部裏樋６４の４部材を相互に四角枠状に組合せることから構成されたものであり、後方から裏樋６０を通して遊技盤３０に複数のネジを螺合することで遊技盤３０の後面に直接的に接合されている。この裏樋６０の下部裏樋６１には始動口挿入孔６５および特別入賞口挿入孔６６が形成されており、電動始動装置４１の樋４９は始動口挿入孔６５内に挿入され、特別電動入賞装置４２の樋５０は特別入賞口挿入孔６６内に挿入されている。この下部裏樋６１にはアウト口６７が形成されている。このアウト口６７は前後面が開口する筒状をなすものであり、遊技盤３０のアウト孔５１の内周面に嵌合されている。
【００１７】
下部裏樋６１には左下厚さ調整部６８および右下厚さ調整部６９が形成されている。これら左下厚さ調整部６８および右下厚さ調整部６９はいずれも遊技盤３０の前後方向の厚さ寸法を厚く調整するものであり、左下厚さ調整部６８は遊技盤３０と共に左下の支え部６および左下のストッパ９相互間で挟持され、右下厚さ調整部６９は遊技盤３０と共に右下の支え部６および右下のストッパ９相互間で挟持されている。上部裏樋６４には左上厚さ調整部７０および右上厚さ調整部７１が形成されている。これら左上厚さ調整部７０および右上厚さ調整部７１はいずれも遊技盤３０の前後方向の厚さ寸法を厚く調整するものであり、左上厚さ調整部７０は遊技盤３０と共に左上の支え部６および左上のストッパ７相互間で挟持され、右上厚さ調整部７１は遊技盤３０と共に右上の支え部６および右上のストッパ７相互間で挟持されている。
３．液晶ステー８０の説明
液晶ステー８０は、図３に示すように、下部ステー８１と左部ステー８２と右部ステー８３と上部ステー８４を有する矩形枠状をなすものである。この液晶ステー８０は後方から液晶ステー８０を通して裏樋６０に複数のネジを螺合することで裏樋６０の後面に直接的に接合されたものであり、裏樋８０と共にスペーサ９０（図２参照）を構成している。
３．下意匠板１００の説明
下意匠板１００は前方から下意匠板１００を通して下部裏樋６１に複数のネジを螺合することで下部裏樋６１の前面に直接的に接合されたものであり、遊技盤３０と下部裏樋６１との間に配置されている。この下意匠板１００の前面には絵柄が印刷されており、下意匠板１００の絵柄は前方から遊技盤３０を通して視覚的に認識可能にされている。この下意匠板１００には、図３に示すように、始動口挿入孔１０１と特別入賞口挿入孔１０２と切欠部１０３が形成されており、電動始動装置４１の樋４９は始動口挿入孔１０１内を通して下部裏樋６１の始動口挿入孔６５内に挿入され、特別電動入賞装置４２の樋５０は特別入賞口挿入孔１０２内を通して下部裏樋６１の特別入賞口挿入孔６６内に挿入され、下部裏樋６１のアウト口６７は切欠部１０３を通して遊技盤３０のアウト孔５１内に嵌合されている。
４．上意匠板１１０の説明
上意匠板１１０は前方から上意匠板１１０を通して上部裏樋６４に複数のネジを螺合することで上部裏樋６４の前面に直接的に接合されたものであり、遊技盤３０と上部裏樋６４との間に配置されている。この上意匠板１１０の前面には絵柄が印刷されており、上意匠板１１０の絵柄は前方から遊技盤３０を通して視覚的に認識可能にされている。
５．裏樋カバー１２０の説明
裏樋カバー１２０は後方から裏樋カバー１２０を通して下部裏樋６１に複数のネジを螺合することで下部裏樋６１の後面に直接的に接合されたものであり、裏樋カバー１２０には球排出路が形成されている。この球排出路は電動始動装置４１の樋４９から落下した遊技球および特別電動入賞装置４２の樋５０から落下した遊技球が進入するものであり、樋４９から落下した遊技球および樋５０から落下した遊技球はいずれも球排出路を通して裏樋カバー１２０の外部に排出される。
６．表示器ケース１３０の説明
表示器ケース１３０は下板部１３１と左板部１３２と右板部１３３と上板部１３４と後板部１３５を有する矩形皿状をなすものであり、下板部１３１と左板部１３２と右板部１３３と上板部１３４と後板部１３５の間には空間状の表示器収納部１３６が形成されている。この表示器ケース１３０の下板部１３１には２枚の下プレート１３７が形成され、表示器ケース１３０の上板部１３４には１枚の上プレート１３８が形成されており、各下プレート１３７には後方から複数のネジが挿入され、上プレート１３８には後方から複数のネジが挿入されている。各下プレート１３７に挿入された複数のネジは下部裏樋６１に螺合され、上プレート１３８に挿入された複数のネジは上部裏樋６４に螺合されており、表示器ケース１３０は裏樋６０を介して遊技盤３０の後面に間接的に接合され、液晶ステー８０は、図２に示すように、表示器ケース１３０の前方に表示器収納部１３６から突出するように配置されている。
７．図柄表示器１４０の説明
図柄表示器１４０は、図４に示すように、フロントフレーム１５０と前偏光板１６０と液晶パネル１７０と後偏光板１９０とバックライト２００とバックカバー２２０を有している。フロントフレーム１５０は下板部１５１と左板部１５２と右板部１５３と上板部１５４と前板部１５５を有する矩形皿状をなすものであり、フロントフレーム１５０の前板部１５５には貫通孔状の窓部１５６が形成されている。バックカバー２２０は下板部２２１と左板部２２２と右板部２２３と上板部２２４と後板部２２５を有する矩形皿状をなすものである。このバックカバー２２０はフロントフレーム１５０の内周面に接合されており、フロントフレーム１５０およびバックカバー２２０相互間には空間状のパネル収納部が形成されている。
【００１８】
図柄表示器１４０は表示器ケース１３０の表示器収納部１３６内に収納されたものであり、フロントフレーム１５０の下板部１５１は液晶ステー８０の下部ステー８１に接触し、フロントフレーム１５０の左板部１５２は液晶ステー８０の左部ステー８２に接触し、フロントフレーム１５０の右板部１５３は液晶ステー８０の右部ステー８３に接触し、フロントフレーム１５０の上板部１５４は液晶ステー８０の上部ステー８４に接触し、バックカバー２２０の後板部２２５は表示器ケース１３０の後板部１３５に接触している。即ち、図柄表示器１４０は液晶ステー８０および表示器ケース１３０相互間で挟持されたものであり、遊技盤３０の後面に裏樋６０および液晶ステー８０を介して間接的に接合されている。
【００１９】
液晶パネル１７０はパネル収納部内に収納されたものである。この液晶パネル１７０は、図５に示すように、透光板に相当する透明な前ガラス基板１７１および透光板に相当する透明な後ガラス基板１７２を前後方向に対向配置し、前ガラス基板１７１および後ガラス基板１７２相互間の空隙に液晶層１７３を封入したものである。これら前ガラス基板１７１および後ガラス基板１７２相互間の空隙には外周部に位置してシール部材１７４が充填されており、前ガラス基板１７１および後ガラス基板１７２相互間の空隙はシール部材１７４によって気密状態に塞がれている。前ガラス基板１７１にはＲＧＢを１画素とするカラーフィルタ１７５と透明な電極１７６と配向膜１７７が印刷され、後ガラス基板１７２には透明な電極１７８と薄膜トランジスタ１７９と配向膜１８０が印刷されている。液晶層１７３は電圧が印加されていない状態で配向方向が９０°捩れたものであり、液晶層１７３の配向方向の捩れは液晶層１７３に電圧が印加されることに基づいて解消される。
【００２０】
前偏光板１６０は液晶パネル１７０の前方に配置されたものであり、後偏光板１９０は液晶パネル１７０の後方に配置されたものである。これら前偏光板１６０および後偏光板１９０はいずれも直線偏光が透過することを許容するものであり、パネル収納部内に収納されている。これら前偏光板１６０および後偏光板１９０は偏光軸が相互に９０度ずれており、液晶パネル１７０の液晶層１７３に電圧が印加されていない状態では後偏光板１９０から液晶層１７３に入射した直線偏光が液晶層１７３の配列に沿って９０°捩れて進んで前偏光板１６０を透過し、液晶層１７３に電圧が印加された状態では後偏光板１９０から液晶層１７３に入射した直線偏光がそのまま直進して前偏光板１６０に吸収される。
【００２１】
液晶パネル１７０は液晶層１７３に電圧を印加することで液晶層１７３の配向状態を変化させ、液晶層１７３を透過する光の状態を制御するものであり、印加電圧を調整することで中間調の表示が行われ、カラーフィルタ１７５のＲＧＢを１画素としてカラー表示が行われる。この液晶パネル１７０は下部裏樋６１と左部裏樋６２と右部裏樋６３と上部裏樋６４で囲まれた内部空間および下部ステー８１と左部ステー８２と右部ステー８３と上部ステー８４で囲まれた内部空間の後方に配置されており、前方から遊技盤３０と裏樋６０の内部空間と液晶ステー８０の内部空間とフロントフレーム１５０の窓部１５６を通して視覚的に認識可能にされている。
【００２２】
バックライト２００は、図４に示すように、後偏光板１９０の後方に配置されたものである。このバックライト２００は導光板２０１と蛍光管２０２とＬＥＤ基板２０３とホルダ２０４を有するものであり、導光板２０１と蛍光管２０２とＬＥＤ基板２０３とホルダ２０４はいずれもパネル収納部内に収納されている。ホルダ２０４は下板部２０５と右板部２０６と後板部２０７を有するものであり、導光板２０１と蛍光管２０２とＬＥＤ基板２０３の全てはホルダ２０４内に収納されている。
【００２３】
蛍光管２０２は導光板２０１の下端面および導光板２０１の右端面の双方に対向するＬ字状をなすものであり、導光板２０１の内部に下端面および右端面の双方を通して白色光を入射する。導光板２０１は無色透明な合成樹脂製の板からなるものであり、導光板２０１には、図６に示すように、左透光領域２０８と右透光領域２０９と反射領域２１０が形成されている。反射領域２１０は複数の反射ドットを有する領域を称するものである。これら各反射ドットは蛍光管２０２から入射された光を前方の液晶パネル１７０側へ反射するものであり、導光板２０１の後面に白色インクで印刷されている。左透光領域２０８および右透光領域２０９はいずれも反射ドットが形成されていない領域を称するものであり、左透光領域２０８は導光板２０１の左端部に配置され、右透光領域２０９は導光板２０１の右端部に配置されている。この導光板２０１は面状光源に相当するものである。
【００２４】
ＬＥＤ基板２０３は、図４に示すように、導光板２０１の後方に対向配置されたものであり、ホルダ２０４の後板部２０７と導光板２０１との間に介在されている。このＬＥＤ基板２０３の前面には複数の左ＬＥＤ２１１および複数の右ＬＥＤ２１２が搭載されており、複数の左ＬＥＤ２１１のそれぞれは導光板２０１の左透光領域２０８の後方に配置され、複数の右ＬＥＤ２１２のそれぞれは導光板２０１の右透光領域２０９の後方に配置されている。これら複数の左ＬＥＤ２１１および複数の右ＬＥＤ２１２のそれぞれは白色のＬＥＤからなるものであり、複数の左ＬＥＤ２１１のそれぞれは前方の左透光領域２０８から後偏光板１９０を通して液晶パネル１７０に白色光を投射し、複数の右ＬＥＤ２１２のそれぞれは前方の右透光領域２０９から後偏光板１９０を通して液晶パネル１７０に白色光を投射する。これら複数の左ＬＥＤ２１１および複数の右ＬＥＤ２１２は遊技盤３０の遊技領域３７の後方に配置されたものであり、遊技領域３７内には複数の左ＬＥＤ２１１の前方および複数の右ＬＥＤ２１２の前方のそれぞれに位置して複数の障害釘が固定されている。これら各左ＬＥＤ２１１および各右ＬＥＤ２１２のそれぞれは点状光源に相当するものである。
８．表示基板ボックス２３０の説明
表示基板ボックス２３０は、図３に示すように、表示器ケース１３０の後板部１３５に接合されたものである。この表示基板ボックス２３０の内部にはプリント配線基板が収納されており、プリント配線基板には表示制御回路２３１が搭載されている。この表示制御回路２３１はマイクロコンピュータを主体に構成されたものであり、複数の薄膜トランジスタ１７９を駆動制御することで液晶パネル１７０に図柄遊技の映像を表示し、複数の左ＬＥＤ２１１および複数の右ＬＥＤ２１２のそれぞれを駆動制御することで液晶パネル１７０に装飾図柄の映像を表示する。
９．遊技盤ユニット２０の着脱手順の説明
遊技盤ユニット２０は上皿板１２および窓枠１７の双方が開放された状態で前方から内枠２の遊技盤収納部５内に収納されるものである。この遊技盤ユニット２０の収納状態では裏樋６０の左下厚さ調整部６８と右下厚さ調整部６９と左上厚さ調整部７０と右上厚さ調整部７１のそれぞれが内枠２の支え部６によって後方から支えられ、左下厚さ調整部６８が遊技盤３０と共に前方のストッパ９と後方の支え部６との間で挟持され、右下厚さ調整部６９が遊技盤３０と共に前方のストッパ９と後方の支え部６との間で挟持されており、残りの各ストッパ７が遊技盤３０に前方から重なるロック状態に回動操作されたときには左上厚さ調整部７０が遊技盤３０と共に前方のストッパ７と後方の支え部６との間で挟持され、右上厚さ調整部７１が遊技盤３０と共に前方のストッパ７と後方の支え部６との間で挟持される。遊技盤ユニット２０は上皿板１２および窓枠１７の双方が開放された状態で内枠２の遊技盤収納部５内から取外されるものである。この場合には両ストッパ７を遊技盤３０の前方から外れるアンロック状態に回動操作し、左上厚さ調整部７０と右上厚さ調整部７１のそれぞれを遊技盤３０と共に挟持解除状態にする。
１０．遊技機能の説明
図柄表示器１４０の液晶パネル１７０には、図７の（ａ）に示すように、左列の図柄要素と中列の図柄要素と右列の図柄要素のそれぞれとして「１」「２」「３」「４」「５」「６」「７」「８」のいずれかの数字が変動停止状態で表示されており、遊技球が上始動口４３内または下始動口４４内に入賞したときには、図７の（ｂ）に示すように、３列の図柄要素が変動停止状態から変動状態になる。この変動状態とは縦一列に並ぶ「１」〜「８」の８種の図柄要素を縦方向に表示範囲が移動するようにスクロール表示するものであり、各列の図柄要素は上から下へ移動しながら「１」→「２」→「３」→「４」→「５」→「６」→「７」→「８」→「１」…の順序で循環的に変化する。これら左列の図柄要素と中列の図柄要素と右列の図柄要素は大当りおよび外れのいずれが判定されたかを遊技者に報知する識別図柄を構成するものであり、識別図柄は（１）左列の図柄要素（２）右列の図柄要素（３）中列の図柄要素の順序で変動停止する。この識別図柄を変動状態および変動停止状態で順に表示する映像は図柄遊技の映像に相当するものである。
【００２５】
左列の図柄要素および右列の図柄要素の両者が変動停止した状態でリーチの組合せになったときには複数種の演出映像が選択的に表示される。このリーチの組合せとは、図７の（ｃ）に示すように、左列の図柄要素および右列の図柄要素が相互に同一な組合せを称するものであり、演出映像とは最終の中列の図柄要素が左列の図柄要素および右列の図柄要素と同一の数字で変動停止するか否かを演出する物語調の映像を称する。図７の（ｄ）〜（ｆ）は演出映像の一例を示すものであり、殿が風呂の熱さに耐えられるか否かで中列の図柄要素が左列の図柄要素および右列の図柄要素と同一の数字で変動停止するか否かが演出される。
【００２６】
図柄遊技の映像の表示中には装飾図柄の映像が表示される。この装飾図柄の映像は図柄遊技の映像を視覚的に装飾するものであり、複数の左ＬＥＤ２１１および複数の右ＬＥＤ２１２の双方を発光させることで表示される。即ち、複数の左ＬＥＤ２１１の発光時および複数の右ＬＥＤ２１２の発光時には、図７の（ｄ）〜（ｆ）に示すように、液晶パネル１７０のうち各左ＬＥＤ２１１の前方に位置にする部分および各右ＬＥＤ２１２の前方に位置する部分のそれぞれに残りの部分に比べて輝度が高い点状の装飾図柄が表示され、図柄遊技の映像が左端部の複数の装飾図柄および右端部の複数の装飾図柄によって視覚的に装飾される。
【００２７】
左列の図柄要素と右列の図柄要素と中列の図柄要素の全てが変動停止した状態で大当りの組合せになったときには大当り遊技が開始され、大当りの組合せとは相違する外れの組合せになったときには大当り遊技が開始されない。大当りの組合せは、図７の（ｇ）に示すように、左列の図柄要素と中列の図柄要素と右列の図柄要素が相互に同一な組合せを称するものであり、大当りの組合せには「１１１」「２２２」「３３３」「４４４」「５５５」「６６６」「７７７」「８８８」の８通りが設定されている。大当り遊技は扉４６を開放し、特別入賞口内に遊技球が入賞することを許容する遊技者有利の状態を発生させるものであり、扉４６は特別入賞口内に上限値（例えば１０個）の遊技球が入賞する個数条件または開放時間が上限値（例えば３０ｓｅｃ）に達する時間条件が満足されるまで開放状態に保持される。この扉４６の個数条件および時間条件を基準とする開閉動作は大当りラウンドと称されるものであり、大当りラウンドは固定的な設定回数（例えば１５回）だけ繰返される。
【００２８】
上記実施例１によれば次の効果を奏する。
左ＬＥＤ２１１を液晶パネル１７０の後方に配置したので、図柄遊技の映像の前方に左ＬＥＤ２１１が重なることがなくなる上に遊技盤３０の遊技領域３７内に障害釘を左ＬＥＤ２１１に邪魔されることなく自由に固定することが可能になる。しかも、左ＬＥＤ２１１の輝度および導光板２０１の輝度を個別に調整することが可能になる。このため、図柄遊技の映像の輝度を高めることなく装飾図柄の映像の輝度を高めることができるので、総じて図柄遊技の映像が見辛くなる弊害および遊技領域３７が狭められる弊害の双方を抑えつつ装飾図柄の映像を明るく表示することができる。この効果は右ＬＥＤ２１２についても同様である。
【００２９】
導光板２０１に左透光領域２０８を設け、左ＬＥＤ２１１を左透光領域２０８の後方に配置した。このため、左ＬＥＤ２１１から投射された光が導光板２０１の反射ドットによって乱反射されることが抑えられ、左透光領域２０８を通して前方の液晶パネル１７０に効率的に入射されるようになるので、装飾図柄の映像が一層明るく表示されるようになる。この効果は右透光領域２０９についても同様である。
【００３０】
上記実施例１においては、導光板２０１をＬＥＤによって発光させても良い。
上記実施例１においては、導光板２０１に反射ドットを粘着剤で貼付したり、あるいは、導光板２０１に凹凸状の反射ドットをインジェクションで成形しても良い。
【００３１】
上記実施例１においては、液晶パネル１７０を全体的に照明する面光源として自発光形の面発光素子を使用しても良い。
【図面の簡単な説明】
【００３２】
【図１】実施例１を示す図（パチンコ遊技機の全体構成を示す斜視図）
【図２】遊技盤ユニットおよび内枠の両者を分解状態で示す斜視図
【図３】遊技盤ユニットそのものを分解状態で示す斜視図
【図４】図柄表示器を分解状態で示す斜視図
【図５】液晶パネルを示す断面図
【図６】導光板を示す図
【図７】液晶パネルの表示内容を示す図
【符号の説明】
【００３３】
３０は遊技盤、３７は遊技領域、４２は特別電動入賞装置、１４０は図柄表示器、１６０は前偏光板、１７０は液晶パネル、１７１は前ガラス基板、１７２は後ガラス基板、１７３は液晶層、１９０は後偏光板、２００はバックライト、２０１は導光板、２１１は左ＬＥＤ、２１２は右ＬＥＤを示している。
【図１】
2007209662.tif 000003
【図２】
2007209662.tif 000004
【図３】
2007209662.tif 000005
【図４】
2007209662.tif 000006
【図５】
2007209662.tif 000007
【図６】
2007209662.tif 000008
【図７】
2007209662.tif 000009